(57)【要約】      （修正有）【課題】保温可能なソックス状のスリッパカバー。【解決手段】スリッパカバー１００は伸縮性の素材から構成され、楕円錐台形状であり、スリッパ底の形状に類似する楕円形をした底部１と、底部１の周囲から上方に形成した被覆部２とから構成される。被覆部２の頂部は、足を挿入する開口３が設けられている。被覆部２は甲被覆部位２１、足首被覆部位２２、側部２３となる。甲被覆部位２１は、当該スリッパの甲部を覆う部位となる。足首被覆部位２２は、側面視において接地面の垂直方向線に対して前方に所定角度傾いて形成される。スリッパカバー１００の開口３を伸ばして内部にスリッパを入れ、開口３から足Ｌを中に入れてスリッパを履く。足はスリッパカバー１００によりくるぶし上部まで覆われ、足首被覆部位２２が足首にフィットする。足首被覆部位２２をスリッパ底に対して折り畳んで、足先を開口３から甲部に入れるとスリッパ状態で使用できる。【選択図】図１
2016047231.tif 000002
【特許請求の範囲】
【請求項１】
全体が伸縮性の素材から構成され、底部の周囲に被覆部を設けてスリッパを収め得る袋状とし、側面視で略台形となると共に上部に開口が設けられ、前記被覆部は、その前方にスリッパの甲部に被せる形状の甲被覆部位と後方に足首被覆部位を有することを特徴とするスリッパカバー。
【請求項２】
前記足首被覆部位は、側面視で所定の前傾角をもって前方に傾いて形成されていることを特徴とする請求項１に記載のスリッパカバー。
【請求項３】
更に、足首被覆部位は、頂端の位置が当該足首被覆部位を折り曲げたときにスリッパの開口付近になるように決定されていることを特徴とする請求項１又は２に記載のスリッパカバー。
【請求項４】
全体が伸縮性の素材から構成され、底部の周囲に被覆部を設けてスリッパを収め得る袋状とし、被覆部に連続して筒状の足首部を設け、当該足首部の上部には開口が設けられると共に当該足首部は、スリッパの甲部に押し込んだ際に前記開口がスリッパの甲部の先端近傍に位置するような高さを有し、且つ前記開口は、伸縮性の編み構造のみから構成されることを特徴とするスリッパカバー。
【請求項５】
前記被覆部は、側面視で所定の前傾角をもって前方に傾いて形成されていることを特徴とする請求項４に記載のスリッパカバー。
【請求項６】
前記足首部の内部に滑り止め部が設けられていることを特徴とする請求項４又は５に記載のスリッパカバー。
【請求項７】
底部の周囲に被覆部が設けられ、当該被覆部は、前記底部の前方にスリッパカバーの甲部に被せる形状の甲被覆部位を有すると共に前記底部の後方に上側に立設された前記甲被覆部位よりも高い頂端を有する舌状の足首被覆部位を有することを特徴とするスリッパカバー。
【請求項８】
前記足首被覆部位は、側面視で所定の前傾角をもって前方に傾いて形成されていることを特徴とする請求項７に記載のスリッパカバー。
【請求項９】
更に、前記底部の下面には、滑り止めが設けられていることを特徴とする請求項１〜８のいずれか一つに記載のスリッパカバー。
【発明の詳細な説明】
【技術分野】
【０００１】
本発明は、スリッパに被せて使用するスリッパカバーに関するものである。
【背景技術】
【０００２】
従来から特許文献１に記載されているような保温・保湿性補助ソックスが知られている。この保温・保湿性補助ソックスは、通常のソックスの内部に着用するものであり、保温・保湿性の高い素材であるポリウレタンフォームにより浅底の足カバーを形成し、この足カバーを素足に装着した上から通常のソックスを着用する。
【０００３】
これにより、足が保温・保湿されるので、婦人の冷え等を防止できると共に皮膚の乾燥を防止できる。また、伸縮性のあるポリウレタンフォームからなるので、履きやすく装着時の違和感がない。更に、ソックスの内側に着用することから、露出による体裁の悪さを気にする必要がない。
【先行技術文献】
【特許文献】
【０００４】
【特許文献１】登録実用新案３００３７０３号公報
【発明の概要】
【発明が解決しようとする課題】
【０００５】
しかしながら、上記従来の保温・保湿性補助ソックスは、足カバーが伸縮性がある素材から構成されていることから、スリッパのように底面に所定の厚さと硬さを備えたものではない。このため、保温・保湿性補助ソックスをスリッパのように使用することができないという問題点があった。本発明は、係る問題点を解決するためになされたものである。
【課題を解決するための手段】
【０００６】
本発明のスリッパカバーは、全体が伸縮性の素材から構成され、底部の周囲に被覆部を設けてスリッパを収め得る袋状とし、側面視で略台形となると共に上部に開口が設けられ、前記被覆部は、その前方にスリッパの甲部に被せる形状の甲被覆部位と後方に足首被覆部位を有することを特徴とする。
【０００７】
ここで前記足首被覆部位は、側面視で所定の前傾角をもって前方に傾いて形成するのが好ましい。更に、前記足首被覆部位は、頂端の位置が当該足首被覆部位を折り曲げたときにスリッパの開口付近になるように決定されるようにするのが好ましい。
【０００８】
また、本発明のスリッパカバーは、全体が伸縮性の素材から構成され、底部の周囲に被覆部を設けてスリッパを収め得る袋状とし、被覆部に連続して筒状の足首部を設け、当該足首部の上部には開口が設けられると共に当該足首部は、スリッパの甲部に押し込んだ際に前記開口がスリッパの甲部の先端近傍に位置するような高さを有し、且つ前記開口は、伸縮性の編み構造のみから構成されることを特徴とする。
【０００９】
前記被覆部は、側面視で所定の前傾角をもって前方に傾いて形成するのが好ましい。更に、前記足首部の内部に滑り止め部を設けるのが好ましい。
【００１０】
また、本発明のスリッパカバーは、底部の周囲に被覆部が設けられ、当該被覆部は、前記底部の前方にスリッパカバーの甲部に被せる形状の甲被覆部位を有すると共に前記底部の後方に上側に立設された前記甲被覆部位よりも高い頂端を有する舌状の足首被覆部位を有することを特徴とする。
【００１１】
同様に、前記足首被覆部位は、側面視で所定の前傾角をもって前方に傾いて形成するのが好ましい。また、前記底部の下面には、滑り止めが設けるのが好ましい。
【図面の簡単な説明】
【００１２】
【図１】本発明の実施の形態１に係るスリッパカバーを示す側面図である。
【図２】図１に示したスリッパカバーの平面図である。
【図３】図１に示したスリッパカバーの正面図である。
【図４】図１に示したスリッパカバーの背面図である。
【図５】図１に示したスリッパカバーを平面的に展開した状態を示す説明図である。
【図６】スリッパカバーの使用方法を示す説明図である。
【図７】スリッパカバーの使用方法を示す説明図である。
【図８】スリッパカバーの使用方法を示す説明図である。
【図９】スリッパカバーの使用方法を示す説明図である。
【図１０】スリッパカバーの使用方法を示す説明図である。
【図１１】本発明の実施の形態２に係るスリッパカバーを示す斜視図である。
【図１２】図１１に示したスリッパカバーの説明図である。
【図１３】図１１に示したスリッパカバーの変態を示す説明図である。
【図１４】図１１に示したスリッパカバーの変態を示す説明図である。
【図１５】本発明の実施の形態３に係るスリッパカバーを平面展開した状態を示す全体構成図である。
【図１６】図１５に示したスリッパカバーを示す側面図である。
【図１７】図１５に示したスリッパカバーの正面図である。
【図１８】図１５に示したスリッパカバーの背面図である。
【図１９】図１５に示したスリッパカバーの上面図である。
【図２０】スリッパカバーの使用方法を示す説明図である。
【図２１】スリッパカバーの使用方法を示す説明図である。
【図２２】スリッパカバーの使用方法を示す説明図である。
【図２３】スリッパカバーの使用方法を示す説明図である。
【発明を実施するための形態】
【００１３】
（実施の形態１）
図１は、本発明の実施の形態１に係るスリッパカバーを示す側面図である。図２は、図１に示したスリッパカバーの平面図である。図３は、図１に示したスリッパカバーの正面図、図４は、その背面図である。このスリッパカバー１００は、袋状であって全体が伸縮性の素材から構成され、全体形状が側面視において山形であり、全体として楕円錐台形状ないし藤壺形状である。伸縮性の素材としては、織物、編み物等のあらゆる伸縮性を備えた素材を用いることができる。例えばマイクロファイバーを用いることができる。
【００１４】
当該スリッパカバー１００は、スリッパＳのスリッパ底Ｓ１（足Ｌを載せる本体部分）の形状に類似する楕円形をした底部１と、底部１の周囲から上方に形成した被覆部２とから構成される。被覆部２の頂部は、足Ｌを挿入する開口３が設けられている。底部１と被覆部２により開口３を備えた袋状となる。前記開口３は、頂部において若干前方（図中左側の足先ＬＴが向く方向）に傾くように設けられる。また、開口３の寸法は、足先ＬＴが自然に挿入できるだけの大きさ及び形状とする。また、足先ＬＴより若干小さめに設定して足先ＬＴを挿入した際に緩やかに締まる程度にすると装着感が増すと共に保温性が高まる。
【００１５】
前記被覆部２は、前方が甲被覆部位２１、後方が足首被覆部位２２、左右側が側部２３となる。図２において仮想線Ｖにより当該被覆部２を甲被覆部位２１、足首被覆部位２２および側部２３に分割観念する。実際には甲被覆部位２１、足首被覆部位２２および側部２３は連続した面として一体的に形成される。
【００１６】
甲被覆部位２１は、スリッパＳに被せた際に当該スリッパＳの甲部Ｓ２を覆う部位となる。このため、底部１の先端から楕円長手方向の中央付近までドーム状またはカップ状に形成される。表面には飾り４が設けられ、ユーザが前後方向を認識しやすくしている。なお、飾り４は印やデザイン等で代替え可能であり、前後認識手段として機能すれば良い。甲被覆部位２１の側面視での頂端は、スリッパＳに被せた際に甲部Ｓ２の上端縁の周辺に位置するようにする。図１において、頂端から垂直方向にスリッパ開口線Ｖ２（スリッパＳの甲部Ｓ２の入り口の仮想ライン）を説明のために図示する。実際はスリッパＳにより当該スリッパ開口線Ｖ２は若干斜めに傾斜する。
【００１７】
また、足首被覆部位２２は、側面視において接地面Ｇの垂直方向線ＶＬに対して前方に所定角度傾いて形成される。換言すれば、足首被覆部位２２は、底部１から斜め前方上方に傾いた前傾角Ｄを有して形成される。前傾角Ｄは、１０度〜４５度の間に設定するのが好ましい。また、１５度〜４０度の間に設定するのが更に好ましい。また、頂端２２ａは、同図の例であれば甲被覆部位２１の頂端２１ａより若干上に位置している。この足首被覆部位２２の前傾角Ｄや頂端２２ａの位置は、スリッパカバー１００をスリッパＳに被せて当該足首被覆部位２２を折り曲げてスリッパ底Ｓ１に被せたとき、スリッパ開口線Ｖ２付近（領域Ａ）に頂端２２ａが位置するように設定するものとする。
【００１８】
即ち、スリッパカバー１００をスリッパＳに被せた際に前記甲被覆部位２１の頂端２１ａと足首被覆部位２２の頂端２２ａとがスリッパ開口線Ｖ２付近に位置することで、前記開口３がスリッパ開口線Ｖ２付近で開口（使用方法において詳述する）するように設定するものとする。また、足首被覆部位２２は、前傾角Ｄを備えることで折り曲げた際の無駄な弛みを少なくすると共に、スリッパカバー１００をスリッパＳに被せたままでの使用（折り曲げない状態）で足首に伸縮力をもって押し当てられる。このため、足首に綺麗にフィットして隙間をなくす。
【００１９】
前記側部２３は、甲被覆部位２１及び足首被覆部位２２を接続し、スリッパカバー１００をスリッパＳに被せた際に内側に折り曲げられスリッパ底Ｓ１の上面に被る。側部２３は、スリッパＳに被せたままの状態で足首のくるぶし付近から下側を覆うことで保温等の効果を奏する。
【００２０】
図５は、図１に示したスリッパカバーを平面的に展開した状態を示す説明図である。このスリッパカバー１００は袋状に形成されており、これを机上で平面的に展開すると図５に示すようになる。即ち、底部１が被覆部２から湾曲形状に広がるものとなる。この底部１の後方の一部にはゴムによる滑り止め５が設けられる。滑り止め５は、同図に示すように、ディンプル模様のように設けてもよいし、平面的なものとして設けても良い（図示省略）。底部１の後方に設けることで踵の部分の力で床面に押し付けられて滑りが防止される。即ち歩行の際には踵から床に着くので当該部分に滑り止め５を設けるのが好ましい。また、掃除する際にはつま先が滑るほうが好ましいので、底部１の前方に滑り止め５を設けないようにするのが好ましい。なお、滑り止め５は必須構成要素ではなく、スリッパカバー１００の素材自体が極めて滑りやすいものでなければ省略できる。
【００２１】
図６〜図１０は、上記スリッパカバーの使用方法を示す説明図である。図７（ａ）、図８（ａ）に示すように、スリッパカバー１００の開口３を伸ばして内部にスリッパＳを入れる。このとき、被覆部２の甲被覆部位２１がスリッパＳの甲部Ｓ２に伸縮しつつ被さり、スリッパ底Ｓ１は底部１により下面が覆われ、足首被覆部位２２は底部１から自由な状態となる。この状態で、図６（ａ）及び（ｂ）に示すように、開口３から足Ｌを中に入れてスリッパＳを履く。なお、図８（ａ）では説明のため足首被覆部位２２が上方に伸びた状態を示している。足Ｌはスリッパカバー１００によりくるぶし上部まで覆われ、足首被覆部位２２が足首にフィットする。この状態をブーツ状態という。
【００２２】
ブーツ状態にすることでスリッパＳを暖かく履くことができる。特に冬場に有用である。また、ブーツ状態で歩行することで室内の床面を自然に掃除できる。更に、スリッパ底Ｓ１が底部１で覆われるので歩行時の音を軽減できる。ブーツ状態で履いていることで災害時には靴の代用となる。更に、ブーツ状態で掃除をして汚れた後、再び内部からスリッパＳを取り出すことが容易にできるので、洗濯しやすい。
【００２３】
次に、ブーツ状態からスリッパＳ状態に変態することで異なる使用方法を提供できる。図７（ｂ）〜（ｃ）及び図８（ｂ）及び（ｃ）に示すように、ブーツ状態から足首被覆部位２２をスリッパ底Ｓ１に対して折り畳んで行き（図７（ｂ）〜（ｃ），図８（ｂ））、開口３をスリッパＳのスリッパ開口線Ｖ２付近に位置させる。換言すれば、足首被覆部位２２と側部２３とがスリッパ底Ｓ１に被さるようにし、その結果、開口３がスリッパ開口線Ｖ２付近に位置する。続いて、足首被覆部位２２及び側部２３をスリッパ底Ｓ１にきれいに被せて開口３がスリッパＳの甲部Ｓ２の開口３に略一致するようにする（図７（ｄ）及び図８（ｃ））。スリッパカバー１００は全体が伸縮性の素材からなるので、開口３がスリッパＳの開口３端縁をカバーするように押し曲げられて当該開口３端縁がスリッパＳの開口３の周縁から内部に若干入り、甲部Ｓ２を露出することなく被覆する。また、スリッパ底Ｓ１での足首被覆部位２２が平面的に伸びて、当該スリッパ底Ｓ１をきれいに被覆する。この状態をスリッパＳ状態という。
【００２４】
このスリッパＳ状態で図９に示すように足先ＬＴを開口３から甲部Ｓ２に入れる。開口３は足先ＬＴの寸法より若干小さめに設定されているので、少し押し込むような恰好で入れると適度な締りと共に足先ＬＴを入れることができる。図１０（ａ）及び（ｂ）に示すように、開口３から足先ＬＴを入れることでスリッパＳ状態で使用できる。このまま歩行すれば、上記ブーツ状態と同様、室内の床面を自然に掃除できる。更に、スリッパ底Ｓ１が底部１で覆われるので歩行時の音を軽減できる。また、見た目がスリッパＳの形であるので、不自然にモップが底部１に設けられた掃除スリッパＳに比べ、自然であり誰もが抵抗なく履くことができる。
【００２５】
また、スリッパ底Ｓ１が足首被覆部位２２及び側部２３により覆われているので足Ｌの裏がスリッパ底Ｓ１に直接触れない。このため、スリッパＳの汚れを防止できる。また、足先ＬＴは甲部Ｓ２に覆われ且つそれ以外の部分はスリッパカバー１００に触れるので、素材によっては暖かさを得られる。また、肌触りが良い夏用の素材で構成した場合は、心地よさを得られる。
【００２６】
上記構成によれば、スリッパカバー１００を交換することで、自使用・来客使用を使い分けることも可能であり、一つのスリッパＳを多様に使用できる。
【００２７】
（実施の形態２）
図１１は、本発明の実施の形態２に係るスリッパカバーを示す斜視図である。図１２は、図１１に示したスリッパカバーの説明図であり、（ａ）は側面図、（ｂ）は斜視図である（図中スリッパＳを点線で示す）。このスリッパカバー２００は、全体がフェルト等の不織布により形成したものであり、スリッパＳのスリッパ底Ｓ１（足を載せる本体部分）の形状に類似する楕円形をした底部２０１と、底部２０１の前方（図中左側の足先が向く方向）に形成したスリッパＳの甲部Ｓ２を覆う甲被覆部位２２１と、底部２０１の後方に設けた足首被覆部位２２２とから構成される。甲被覆部位２２１及び足首被覆部位２２２により被覆部２を形成する。
【００２８】
甲被覆部位２２１は、スリッパＳに被せた際に当該スリッパＳの甲部Ｓ２を覆う部位となる。このため、底部２０１の先端から楕円長手方向の中央付近までドーム状またはカップ状に形成される。甲被覆部位２２１の頂端２２１ａは、図１２に示すように、スリッパＳに被せた際に甲部Ｓ２の上端縁の周辺に位置するようにする。
【００２９】
足首被覆部位２２２は、舌形状であって底部２０１の後端及びその周囲端縁から略立設し、最後端が最も高く前方に行くに従って低くなり前記甲被覆部位２２１に接続される。また、図１２に示すように、接地面の垂直方向線に対して前方に所定角度傾いて形成される。換言すれば、足首被覆部位２２２は、底部２０１から斜め前方上方に傾いた前傾角Ｄを有して形成される。前傾角Ｄは、５度〜３０度の間に設定するのが好ましい。また、１０度〜２０度の間に設定するのが更に好ましい。
【００３０】
また、頂端２２２ａは、同図の例であれば甲被覆部位２２１の頂端２２１ａより上に位置している。この足首被覆部位２２２の前傾角Ｄや頂端２２２ａの位置は、スリッパカバー２００をスリッパＳに被せて当該足首被覆部位２２２を折り曲げてスリッパ底Ｓ１に被せたとき、スリッパＳの甲部Ｓ２内に敷かれるように設定するものとする。足首被覆部位２２２は、前傾角Ｄを備えることで折り曲げた際の無駄な弛みを少なくすると共に、スリッパカバー２００をスリッパＳに被せたままでの使用（折り曲げない状態）で足首に伸縮力をもって押し当てられる。このため、足首に綺麗にフィットして隙間をなくす。
【００３１】
図１２に示すように、足首被覆部位２２２を立てた状態でスリッパＳを内部に差し込んでその甲部Ｓ２を甲被覆部位２２１に収め、スリッパ底Ｓ１を底部２０１にて保持する。これにより図１２に示すように、スリッパＳがスリッパカバー２００に被覆された状態になる。係る状態で足を開口３に入れて使用する。このとき、足首被覆部位２２２によりくるぶし上部まで覆われ、足首被覆部位２２２が前傾角Ｄを有することから足首にフィットする。この状態をブーツ状態という。
【００３２】
ブーツ状態にすることでスリッパＳを暖かく履くことができる。特に冬場に有用である。また、ブーツ状態で歩行することで室内の床面を自然に掃除できる。更に、スリッパ底Ｓ１が底部２０１で覆われるので歩行時の音を軽減できる。ブーツ状態で履いていることで災害時には靴の代用となる。更に、ブーツ状態で掃除をして汚れた後、再び内部からスリッパＳを取り出すことが容易にできるので、洗濯しやすい。
【００３３】
次に、図１３に示すように、スリッパカバー２００はスリッパＳ状態に変態できる。即ち、ブーツ状態から前記足首被覆部位２２２をスリッパ底Ｓ１側に折り曲げて当該足首被覆部位２２２がスリッパ底Ｓ１に被さるようにする。足首被覆部位２２２の頂端２２２ａは、スリッパＳの甲部Ｓ２の奥に入って中敷きのようになる。このスリッパＳ状態で足先を開口３から甲部Ｓ２に入れて使用する。このまま歩行すれば、上記ブーツ状態と同様、室内の床面を自然に掃除できる。更に、スリッパ底Ｓ１が底部２０１で覆われるので歩行時の音を軽減できる。また、見た目がスリッパＳの形であるので、不自然にモップが底部２０１に設けられた掃除スリッパＳに比べ、自然であり誰もが抵抗なく履くことができる。
【００３４】
また、スリッパ底Ｓ１が足首被覆部位２２２により覆われているので足の裏がスリッパ底Ｓ１に直接触れない。このため、スリッパＳの汚れを防止できる。また、足先は甲部Ｓ２に覆われ且つそれ以外の部分はスリッパカバー２００に触れるので、素材によっては暖かさを得られる。また、肌触りが良い夏用の素材で構成した場合は、心地よさを得られる。
【００３５】
更に、図１４に示すように、足首被覆部位２２２は、半分だけ折り曲げることもできる。くるぶしの辺りを境に折り曲げ可能とするのが好ましい。このようにすれば、足首を覆いながら動きやすくできる。また、底部２０１の下面には、上記実施の形態１に示したような滑り止めを設けても良い（図示省略）。
【００３６】
また、実施の形態１及び２において、被覆部の内側に使い捨てカイロや保冷材を収納するポケットを設けても良い（図示省略）。
【００３７】
（実施の形態３）
図１５は、本発明の実施の形態３に係るスリッパカバーを平面展開した状態を示す全体構成図である。図１６は、図１５に示したスリッパカバーを示す側面図である。図１７は、図１５に示したスリッパカバーの正面図である。図１８は、図１５に示したスリッパカバーの背面図、図１９は、その上面図である。このスリッパカバー３００は、袋状であって全体が伸縮性の素材から構成され、全体形状としてソックス状であるが、踵部３０１から足首部３０２までが斜め前方に立ち上がった形状となる。伸縮性の素材としては、織物、編み物等のあらゆる伸縮性を備えた素材を用いることができる。例えばマイクロファイバーを用いることができる。また、スリッパＳに被せるものであることから、全体的な大きさは通常のソックスよりも大きいか、ソックスに比べて極めて大きな伸縮性を備える。
【００３８】
当該スリッパカバー３００は、スリッパＳのスリッパ底Ｓ１（足Ｌを載せる本体部分）の形状に類似する略瓢箪型ないし楕円形をした底部３１０と、底部３１０の周囲から上方に形成した被覆部３２０とから構成される。被覆部３２０には筒状の足首部３０２が連続形成され、その頂部には足Ｌを挿入する開口３３０が設けられている。換言すれば、被覆部３２０の踵部から足首部３０２までが斜め前方に立ち上がった形状となる。
【００３９】
また、開口３３０の寸法は、足先ＬＴが自然に挿入できるだけの大きさ及び形状とする。また、足先ＬＴより若干小さめに設定して足先ＬＴを挿入した際に緩やかに締まる程度にすると装着感が増すと共に保温性が高まる。また、この実施の形態３では、足首部３０２及び開口３３０はリブ編みのみで構成され、ゴムは含まない。足首にゆるくフィットするように調整されており、且つ、後述するようにスリッパＳに被せた際に開口３３０が閉じすぎないようにするためである。係る観点から、開口３３０及び足首部３０２は伸縮性の編み方であってゴムを開口周囲に設けない構成が好ましい。
【００４０】
足首部３０２は、内部にゴムやシリコン、ウレタン等の樹脂からなる滑り止め部３０３が設けられている。滑り止め部３０３は、半球状等のゴム片を均等かつ平面的に設けた構成である。足首部３０２の前後方向の内部前方及び内部後方に設けられる。
【００４１】
足首部３０２の後方頂部３０２ａは、スリッパＳに被せた際にスリッパＳ内部の先端付近まで位置するように寸法を設定する。この状態で、内部後方の滑り止め部３０３は、スリッパ底Ｓ１に対して当接して足首部３０２がスリッパ底Ｓ１に対して滑らないようになる。また、足首部３０２の前方頂部３０２ｂは、スリッパＳに被せた際にスリッパ内部の先端付近に位置するように寸法を設定する。この場合も、内部前方の滑り止め部３０３は、スリッパＳの甲部Ｓ２の裏面に対して当接して足首部３０２が甲部Ｓ２に対して滑らないようになる。
【００４２】
また、被覆部３２０から足首部３０２は、側面視において接地面Ｇの垂直方向線ＶＬに対して前方に所定角度Ｄだけ傾いて形成される。換言すれば、足首部３０２は、底部３１０から斜め前方上方に傾いた前傾角Ｄを有して形成される。前傾角Ｄは、１０度〜４５度の間に設定するのが好ましい。また、１５度〜４０度の間に設定するのが更に好ましい。この被覆部３２０の前傾角Ｄは、スリッパカバー３００をスリッパＳに被せて当該被覆部３２０及び足首部３０２を折り曲げてスリッパ底Ｓ１に被せたとき、足首部３０２がスリッパＳの甲部Ｓ２の先端付近に位置するように設定するものとする。
【００４３】
また、足首部３０２は、前傾角Ｄを備えることで折り曲げた際の無駄な弛みを少なくすると共に、スリッパカバー３００をスリッパＳに被せたままでの使用（折り曲げない状態）で足首に伸縮力をもって押し当てられる。このため、足首に綺麗にフィットして隙間をなくす。
【００４４】
底部３１０は被覆部３２０から下方に湾曲形状に広がる。この底部３１０の後方の一部には、実施の形態１に示したようなゴムによる滑り止め（５）を設けても良い（図示省略）。底部３１０の後方に滑り止めを設けることで踵の部分の力で床面に押し付けられて滑りが防止される。即ち歩行の際には踵から床に着くので当該部分に滑り止めを設けるのが好ましい。また、掃除する際にはつま先が滑るほうが好ましいので、底部３１０の前方に滑り止めを設けないようにするのが好ましい。なお、滑り止めは必須構成要素ではなく、スリッパカバー３００の素材自体が極めて滑りやすいものでなければ省略できる。
【００４５】
図２０〜図２３は、上記スリッパカバーの使用方法を示す説明図である。図２１（ａ）及び図２２（ａ）に示すように、スリッパカバー３００の開口３３０を伸ばして内部にスリッパＳを入れる。このとき、被覆部３２０がスリッパＳの甲部Ｓ２に伸縮しつつ被さり、スリッパ底Ｓ１は底部３１０により下面が覆われた状態となる。足首部３０２は、スリッパＳのいずれにも接しておらず自由な状態である。この状態で、図２０（ａ）及び（ｂ）に示すように、開口３３０から足Ｌを中に入れてスリッパＳを履く。足Ｌはスリッパカバー３００により足首上部まで覆われ、足首部３０２が足首にフィットする。この状態をブーツ状態という。
【００４６】
ブーツ状態にすることでスリッパＳを暖かく履くことができる。特に冬場に有用である。また、ブーツ状態で歩行することで室内の床面を自然に掃除できる。更に、スリッパ底Ｓ１が底部３１０で覆われるので歩行時の音を軽減できる。ブーツ状態で履いていることで災害時には靴の代用となる。更に、ブーツ状態で掃除をして汚れた後、再び内部からスリッパＳを取り出すことが容易にできるので、洗濯しやすい。
【００４７】
次に、ブーツ状態からスリッパ状態に変態することで異なる使用方法を提供できる。図２１（ｂ）〜（ｃ）及び図２２（ｂ）及び（ｃ）に示すように、ブーツ状態から足首部３０２をスリッパ底Ｓ１と甲部Ｓ２との間の押し込んでいき（図２１（ｂ）〜（ｃ），図２２（ｂ））、開口３３０をスリッパＳの甲部Ｓ２の先端近傍まで押し込む。足首部３０２の押し込み方向は、図１５で一点鎖線で例示する。
【００４８】
足首部３０２は、図２１（ｄ）及び図２２（ｃ）に示すように、裏返しになって甲部Ｓ２の奥に押し込まれ、このとき足首部３０２の内側に設けた滑り止め部３０３が甲部Ｓ２及びスリッパ底Ｓ１に当接して当該足首部３０２がスリッパＳに対してずれないようになる（図２１（ｄ）の一点鎖線枠内を参照）。また、足首部３０２は、少なくとも開口３３０においてリブ編み等の伸縮性を備えるがゴムを入れていないことから緩やかな締め付け具合であり、よって甲部Ｓ２の先端近傍において、完全に開口３３０が閉じることはなく、ある程度の開口状態を保持できる。
【００４９】
これにより、スリッパカバー３００は全体が伸縮性の素材からなるので、開口３３０がスリッパＳの開口３３０端縁をカバーするように押しこまれて当該開口３３０端縁がスリッパＳの開口の周縁から内部の先端近傍まで入り、甲部Ｓ２を表裏で被覆する。また、足首部３０２が甲部Ｓ２の奥まで押し込まれることから、当該スリッパ底Ｓ１をきれいに被覆する。この状態をスリッパＳ状態という。
【００５０】
このスリッパ状態で図２３に示すように足先ＬＴを甲部Ｓ２に入れる。開口３３０は、甲部Ｓ２の先端近傍に位置するので、それまで足先ＬＴはスムーズに甲部Ｓ２に入る。また、足首部３０２が甲部Ｓ２の先端近傍まで被覆しているので肌触りが良く、暖かい。また、足先ＬＴを甲部Ｓ２から出すとき、前記滑り止め部３０３が甲部Ｓ２の裏面及びスリッパ底Ｓ１に対して滑らないので、足先ＬＴをスムーズに出すことができ、足先ＬＴと一緒に足首部３０２が甲部Ｓ２から出てくるようなことはない。
【００５１】
開口３３０から足先ＬＴを入れることでスリッパＳ状態で使用できる。このまま歩行すれば、上記ブーツ状態と同様、室内の床面を自然に掃除できる。更に、スリッパ底Ｓ１が底部３１０で覆われるので歩行時の音を軽減できる。また、見た目がスリッパＳの形であるので、不自然にモップが底部３１０に設けられた掃除スリッパＳに比べ、自然であり誰もが抵抗なく履くことができる。
【００５２】
また、スリッパ底Ｓ１が足首部３０２により覆われているので足Ｌの裏がスリッパ底Ｓ１に直接触れない。このため、スリッパＳの汚れを防止できる。また、足先ＬＴは甲部Ｓ２に覆われ且つそれ以外の部分はスリッパカバー３００に触れるので、素材によっては暖かさを得られる。また、肌触りが良い夏用の素材で構成した場合は、心地よさを得られる。
【００５３】
上記構成によれば、スリッパカバー３００を交換することで、自使用・来客使用を使い分けることも可能であり、一つのスリッパＳを多様に使用できる。
【符号の説明】
【００５４】
１００  スリッパカバー
１  底部
２  被覆部
３  開口
４  飾り
２１  甲被覆部位
２２  足首被覆部位
【図１】
2016047231.tif 000003
【図２】
2016047231.tif 000004
【図３】
2016047231.tif 000005
【図４】
2016047231.tif 000006
【図５】
2016047231.tif 000007
【図６】
2016047231.tif 000008
【図７】
2016047231.tif 000009
【図８】
2016047231.tif 000010
【図９】
2016047231.tif 000011
【図１０】
2016047231.tif 000012
【図１１】
2016047231.tif 000013
【図１２】
2016047231.tif 000014
【図１３】
2016047231.tif 000015
【図１４】
2016047231.tif 000016
【図１５】
2016047231.tif 000017
【図１６】
2016047231.tif 000018
【図１７】
2016047231.tif 000019
【図１８】
2016047231.tif 000020
【図１９】
2016047231.tif 000021
【図２０】
2016047231.tif 000022
【図２１】
2016047231.tif 000023
【図２２】
2016047231.tif 000024
【図２３】
2016047231.tif 000025